(57)【要約】【課題】複数画面の輝度をアプリケーションの利用形態に応じ適切に設定できる複数画面表示装置、複数画面表示方法及びプログラムを提供する。【解決手段】複数画面表示装置１００は、アプリケーションプログラムの画面を表示する表示部１０１、表示部１０１に画面を表示させる制御を行う表示制御部１０２を有する。表示部１０１は、第１のアプリケーションプログラムの画面を表示する第１の表示部１０１１、第２のアプリケーションプログラムの画面を表示する第２の表示部１０１２を含む。第１の表示部１０１１及び第２の表示部１０１２は、それぞれ別個に輝度が設定可能である。表示制御部１０２は、所定の指令に応じ、第１の表示部１０１１及び前記第２の表示部１０１２を同一の輝度に設定し、第１のアプリケーションプログラム又は第２のアプリケーションプログラムを、第１の表示部１０１１及び第２の表示部１０１２にわたって表示させる。【選択図】図１
2014215303.tif 000002
【特許請求の範囲】
【請求項１】
アプリケーションプログラムの画面を表示する表示部と、
前記表示部に前記画面を表示させる制御を行う表示制御部と、を有し、
前記表示部は、
第１のアプリケーションプログラムの画面を表示する第１の表示部と、
第２のアプリケーションプログラムの画面を表示する第２の表示部と、を含み、
前記第１の表示部及び前記第２の表示部は、それぞれ別個に輝度が設定可能であり、
前記表示制御部は、
所定の指令に応じ、前記第１の表示部及び前記第２の表示部を同一の輝度に設定し、
前記第１のアプリケーションプログラム又は前記第２のアプリケーションプログラムを、前記第１の表示部及び前記第２の表示部にわたって表示させる
複数画面表示装置。
【請求項２】
前記第１の表示部は、前記第１のアプリケーションプログラムの画面を第１の輝度で表示し、
前記第２の表示部は、前記第２のアプリケーションプログラムの画面を第２の輝度で表示し、
前記表示制御部は、
前記第１のアプリケーションプログラムの画面を、前記第１の表示部及び前記第２の表示部にわたって表示させる場合には、前記第２の表示部を前記第１の輝度に設定し、
前記第２のアプリケーションプログラムの画面を、前記第１の表示部及び前記第２の表示部にわたって表示させる場合には、前記第１の表示部を前記第２の輝度に設定する
請求項１記載の複数画面表示装置。
【請求項３】
アプリケーションプログラムと、前記アプリケーションプログラムを表示する際の輝度と、を対応付けて保持する設定保持部をさらに有し、
前記表示制御部は、
所定の指令に応じ、前記設定保持部を参照して、前記第１の表示部及び前記第２の表示部にわたって表示させるアプリケーションプログラムに対応付けられた第３の輝度を取得し、
前記第１の表示部及び前記第２の表示部を、前記第３の輝度に設定し、
前記第１のアプリケーションプログラムの画面を、前記第１の表示部及び前記第２の表示部にわたって表示させる
請求項１記載の複数画面表示装置。
【請求項４】
前記表示制御部は、
前記第１又は第２のアプリケーションプログラムの画面を、前記第１の表示部及び前記第２の表示部にわたって表示させ、かつ、所定の機能の画面を前記第１の表示部又は前記第２の表示部のいずれか一方に表示させる際、
前記所定の機能の画面を表示させている前記第１の表示部又は前記第２の表示部を、前記第１の輝度又は前記第２の輝度に設定する
請求項１乃至３いずれか１項記載の複数画面表示装置。
【請求項５】
所定の機能と、前記所定の機能を表示する際の輝度と、を対応付けて保持する第２の設定保持部をさらに有し、
前記表示制御部は、
前記第１又は第２のアプリケーションプログラムの画面を、前記第１の表示部及び前記第２の表示部にわたって表示させ、かつ、所定の機能の画面を前記第１の表示部又は前記第２の表示部のいずれか一方に表示させる際、
前記第２の設定保持部を参照して、前記所定の機能に対応付けられた第４の輝度を取得し、
前記所定の機能の画面を表示させている前記第１の表示部又は前記第２の表示部を、前記第４の輝度に設定する
請求項１乃至３いずれか１項記載の複数画面表示装置。
【請求項６】
情報通信を制御する通信部、又は放送を受信する放送受信部をさらに有し、
前記表示制御部は、
前記第１の表示部及び前記第２の表示部にわたって表示させるアプリケーションプログラムが、前記通信部又は前記放送受信部を利用するアプリケーションプログラムであるとき、
所定の指令に応じ、前記第１の表示部及び前記第２の表示部を、第５の輝度に設定する
請求項１乃至５いずれか１項記載の複数画面表示装置。
【請求項７】
第１の表示部が、第１のアプリケーションプログラムの画面を表示する第１表示ステップと、
第２の表示部が、第２のアプリケーションプログラムの画面を表示する第２表示ステップと、
表示制御部が、
所定の指令に応じ、前記第１の表示部及び前記第２の表示部を同一の輝度に設定する輝度設定ステップと、
前記第１のアプリケーションプログラム又は前記第２のアプリケーションプログラムを、前記第１の表示部及び前記第２の表示部にわたって表示させる複数画面表示ステップと、を有する
複数画面表示方法。
【請求項８】
前記第１表示ステップにおいて、前記第１の表示部は、前記第１のアプリケーションプログラムの画面を第１の輝度で表示し、
前記第２表示ステップにおいて、前記第２の表示部は、前記第２のアプリケーションプログラムの画面を第２の輝度で表示し、
前記輝度設定ステップにおいて、前記表示制御部は、
前記第１のアプリケーションプログラムの画面を、前記第１の表示部及び前記第２の表示部にわたって表示させる場合には、前記第２の表示部を前記第１の輝度に設定し、
前記第２のアプリケーションプログラムの画面を、前記第１の表示部及び前記第２の表示部にわたって表示させる場合には、前記第１の表示部を前記第２の輝度に設定する
請求項７記載の複数画面表示方法。
【請求項９】
前記輝度設定ステップにおいて、前記表示制御部は、所定の指令に応じ、アプリケーションプログラムと、前記アプリケーションプログラムを表示する際の輝度と、を対応付けて保持する設定保持部を参照して、前記第１の表示部及び前記第２の表示部にわたって表示させるアプリケーションプログラムに対応付けられた第３の輝度を取得し、
前記第１の表示部及び前記第２の表示部を、前記第３の輝度に設定する
請求項７記載の複数画面表示方法。
【請求項１０】
前記複数画面表示ステップの後、前記表示制御部が、所定の機能の画面を前記第１の表示部又は前記第２の表示部のいずれか一方に表示させる機能画面表示ステップと、
前記所定の機能の画面を表示させている前記第１の表示部又は前記第２の表示部を、前記第１の輝度又は前記第２の輝度に設定する第２の輝度設定ステップと、をさらに有する
請求項７乃至９いずれか１項記載の複数画面表示方法。
【請求項１１】
前記複数画面表示ステップの後、前記表示制御部が、所定の機能の画面を前記第１の表示部又は前記第２の表示部のいずれか一方に表示させる機能画面表示ステップと、
前記所定の機能と、前記所定の機能を表示する際の輝度と、を対応付けて保持する第２の設定保持部を参照して、前記所定の機能に対応付けられた第４の輝度を取得し、
前記所定の機能の画面を表示させている前記第１の表示部又は前記第２の表示部を、前記第４の輝度に設定する第２の輝度設定ステップと、をさらに有する
請求項７乃至９いずれか１項記載の複数画面表示方法。
【請求項１２】
前記輝度設定ステップにおいて、前記表示制御部は、前記第１のアプリケーションプログラムが、情報通信を制御する通信部又は放送を受信する放送受信部を利用するアプリケーションプログラムであるとき、
所定の指令に応じ、前記第１の表示部及び前記第２の表示部を、第５の輝度に設定する
請求項７乃至１１いずれか１項記載の複数画面表示方法。
【請求項１３】
請求項７乃至１２いずれか１項に記載の複数画面表示方法を、コンピュータに実行させるためのプログラム。
【発明の詳細な説明】
【技術分野】
【０００１】
本発明は複数画面表示装置、複数画面表示方法及びプログラムに関し、例えば複数画面の輝度を設定する技術に関する。
【背景技術】
【０００２】
複数の表示画面を備えた電子機器が種々提案されている。
【０００３】
例えば、特許文献１には、複数のタッチパネル式表示画面を有する電子機器において、ユーザによる所定のタッチパネル操作を契機として、所定の情報を複数の表示画面にわたって表示する構成が記載されている。
【０００４】
特許文献２には、複数の表示画面を有する電子機器において、表示画面毎に輝度設定を行う構成が記載されている。
【先行技術文献】
【特許文献】
【０００５】
【特許文献１】特開２０１２−１９０３１８号公報
【特許文献２】特開２０１０−１２７８７６号公報
【発明の概要】
【発明が解決しようとする課題】
【０００６】
このような複数の表示画面を有する表示装置においては、消費電力の抑制等の目的のため、表示画面毎に輝度を設定する構成を採用することが考えられる。例えば、表示画面毎に異なるアプリケーションプログラムを表示させる場合を想定し、各アプリケーションの利用に適切な輝度を、表示画面毎に設定できるよう構成することができる。
【０００７】
ところが、このように設定された輝度に従って各表示画面を制御すると、以下のような問題が生じる。例えば１つのアプリケーションを、複数の表示画面にわたって表示させるよう制御した場合（複数画面表示）、同一のアプリケーションでありながら、複数の表示画面夫々が異なる輝度で表示を行うことがある。これは、予め表示画面毎に輝度が設定されており、各表示画面は当該輝度により表示を行うためである。これにより、ユーザが複数画面表示によりアプリケーションを利用する際の快適性が損なわれる恐れがある。
【０００８】
本発明は、このような問題点を解決するためになされたものであり、複数画面の輝度をアプリケーションの利用形態に応じ適切に設定できる複数画面表示装置、複数画面表示方法及びプログラムを提供することを目的とする。
【０００９】
その他の課題と新規な特徴は、本明細書の記述及び添付図面から明らかになるであろう。
【課題を解決するための手段】
【００１０】
本発明に係る複数画面表示装置は、アプリケーションプログラムの画面を表示する表示部と、前記表示部に前記画面を表示させる制御を行う表示制御部と、を有し、前記表示部は、第１のアプリケーションプログラムの画面を表示する第１の表示部と、第２のアプリケーションプログラムの画面を表示する第２の表示部と、を含み、前記第１の表示部及び前記第２の表示部は、それぞれ別個に輝度が設定可能であり、前記表示制御部は、所定の指令に応じ、前記第１の表示部及び前記第２の表示部を同一の輝度に設定し、前記第１のアプリケーションプログラム又は前記第２のアプリケーションプログラムを、前記第１の表示部及び前記第２の表示部にわたって表示させるものである。
【００１１】
本発明に係る複数画面表示方法は、第１の表示部が、第１のアプリケーションプログラムの画面を表示する第１表示ステップと、第２の表示部が、第２のアプリケーションプログラムの画面を表示する第２表示ステップと、表示制御部が、所定の指令に応じ、前記第１の表示部及び前記第２の表示部を同一の輝度に設定する輝度設定ステップと、前記第１のアプリケーションプログラム又は前記第２のアプリケーションプログラムを、前記第１の表示部及び前記第２の表示部にわたって表示させる複数画面表示ステップと、を有するものである。
【００１２】
本発明に係るプログラムは、上記複数画面表示方法をコンピュータに実行させるためのプログラムである。
【発明の効果】
【００１３】
本発明により、複数画面の輝度をアプリケーションの利用形態に応じ適切に設定できる複数画面表示装置、複数画面表示方法及びプログラムを提供することができる。
【図面の簡単な説明】
【００１４】
【図１】本発明の実施の形態１の複数画面表示装置１００の構成を示す図である。
【図２】本発明の実施の形態１の複数画面表示装置１００の例を示す図である。
【図３】本発明の実施の形態１の複数画面表示装置１００の例を示す図である。
【図４】本発明の実施の形態１の複数画面表示装置１００の例を示す図である。
【図５】本発明の実施の形態１の複数画面表示装置１００の例を示す図である。
【図６】本発明の実施の形態１の複数画面表示装置１００の例を示す図である。
【図７】本発明の実施の形態１の複数画面表示装置１００の例を示す図である。
【図８】本発明の実施の形態１の複数画面表示装置１００における輝度テーブルの例を示す図である。
【図９】本発明の実施の形態１の複数画面表示装置１００の処理を示す図である。
【図１０】本発明の実施の形態２の複数画面表示装置１００の例を示す図である。
【図１１】本発明の実施の形態２の複数画面表示装置１００の処理を示す図である。
【図１２】本発明の複数画面表示装置１００のバリエーションを示す図である。
【図１３】本発明の複数画面表示装置１００のバリエーションを示す図である。
【図１４】本発明の複数画面表示装置１００のバリエーションを示す図である。
【発明を実施するための形態】
【００１５】
以下、本発明を適用した具体的な実施の形態について、図面を参照しながら詳細に説明する。
【００１６】
＜実施の形態１＞
まず、図２、図３、図１３、図１４を用いて、本発明の実施の形態１にかかる複数画面表示装置１００の形態について説明する。
【００１７】
複数画面表示装置１００は、複数の画面を備える表示装置である。例えば、図２乃至図４に示す複数画面表示装置１００は、それぞれ画面Ａ、画面Ｂを有する２つの筐体が、ヒンジを介して接合されたものである（図２）。この複数画面表示装置１００は、ヒンジを回転軸として２つの筐体が回動することにより、展開状態（図４）及び折りたたみ状態（図３）の２つの形態をとることができる。展開状態において、２つの筐体は、画面Ａ及び画面Ｂを、ユーザが同時に視認することが可能な位置関係に保持される。例えば、画面Ａと画面Ｂとは、略同一平面上に位置するように保持される。折り畳み状態においては、２つの筐体は、画面Ａ及び画面Ｂが互いに背面に位置するよう保持される。この状態においてユーザが同時に視認できるのは、画面Ａ又は画面Ｂのいずれか一方のみである。本実施の形態は、図２及び図３に示すような複数画面表示装置１００を例として説明を行う。
【００１８】
なお、複数画面表示装置１００は、図１３に示すように、折り畳み状態において複数の画面が対向する形態のものであっても良い。あるいは、図１４に示すように、複数の画面のうち少なくとも１つの画面がスライドすることにより、展開状態となるものであっても良い。また、複数画面表示装置１００は、３以上の画面を有するものであっても良い。この場合、いずれかの複数の画面が、ユーザが同時に視認することが可能な位置関係に保持された状態を、展開状態とする。いずれの場合にあっても、複数の画面は、略同一のサイズ及び解像度を有し、展開状態においては、それぞれの画面間の間隙は狭く、略同一平面に納まることが好ましいが、これに限定されるものではない。
【００１９】
つづいて、図１を用いて、複数画面表示装置１００の構成について説明する。複数画面表示装置１００は、表示部１０１、表示制御部１０２、設定保持部１０３を有する。
【００２０】
表示部１０１は、表示制御部１０２の制御に従って画像を表示する手段であり、例えば液晶ディスプレイ、有機ＥＬディスプレイ、プラズマディスプレイ等によって構成される。表示部１０１は、複数のディスプレイを含む（１０１１、１０１１、・・１０１ｎ）。本実施の形態では、表示部１０１は２つのディスプレイ、すなわち第１の表示部１０１１、第２の表示部１０１２を有するものとする。
【００２１】
表示制御部１０２は、図示しない各種プログラムからの要求に応じ、表示部１０１に画像を表示させる制御を行う（以下、単に、プログラムの画面を表示する、と表現する）処理手段である。典型的には、表示制御部１０２は、複数画面表示装置１００が折りたたみ状態にある時には、第１の表示部１０１１、第２の表示部１０１２にそれぞれ異なるアプリケーションプログラムの画面を表示する。一方、展開状態にある時であって、ユーザによる所定の指令が行われた時（後述）には、第１の表示部１０１１、第２の表示部１０１２にわたって同一のアプリケーションプログラムの画面を表示する。すなわち、第１の表示部１０１１の表示領域及び第２の表示部１０１２の表示領域を、連続する１つの表示領域とみなし、この連続する表示領域を利用して所定のアプリケーションプログラムの画面を表示する。
【００２２】
設定保持部１０３は、表示制御部１０２が表示部１０１に画面表示を行う際の輝度を、アプリケーションプログラム毎に定義した、輝度テーブルを保持する記憶手段である。表示制御部１０２は、表示部１０１にアプリケーションプログラムの画面を表示する際、設定保持部１０３の輝度テーブルを参照して、当該アプリケーションプラグラムに予め対応付けられた輝度を取得し、当該輝度により画面表示を行う。例えば、第１の表示部１０１１においては第１のアプリケーションプログラム（例えば「メール」）、第２の表示部１０１２においては第２のアプリケーションプログラム（例えば「ＷＥＢ」）を表示する場合、表示制御部１０２は、設定保持部１０３の輝度テーブルを参照し、第１のアプリケーションプログラムに対応付けられた第１の輝度（例えば「暗い））、第２のアプリケーションプログラムに対応付けられた第２の輝度（例えば「明るい」）を取得し、第１の表示部１０１１においては第１の輝度、第２の表示部１０１２においては第２の輝度で画面表示を行う。
【００２３】
なお、複数画面表示装置１００が複数のユーザをユーザアカウント等により識別可能である場合、設定保持部１０３は、ユーザ毎に輝度テーブルを保持し、表示制御部１０２は、複数画面表示装置１００を現在利用しているユーザの輝度テーブルを用いて、上記一連の制御を行うこととしても良い。また、上述の例では輝度として「暗い」「明るい」の２段階のみを設定可能な例を示したが、種々の指標を用いて多段階に設定できるよう構成できることは勿論である。
【００２４】
つづいて、図９のフローチャートを用いて、複数画面表示装置１００の動作について説明する。
【００２５】
Ｓ１０１：第１の表示部１０１１、第２の表示部１０１２は、それぞれ別のアプリケーションプログラムの画面を表示している。図５に一例を示す。この例で、表示制御部１０２は、第１の表示部１０１１「画面Ａ」に、アプリケーションプログラム「ＷＥＢ」の画面を、「明るい」輝度で表示させている。一方、第２の表示部１０１２「画面Ｂ」には、アプリケーションプログラム「メール」の画面を、「暗い」輝度で表示させている。ここで、アプリケーションプログラムと輝度との対応関係は、図８に示す輝度テーブルに予め設定されているものとする。
【００２６】
Ｓ１０２：表示制御部１０２は、所定のアプリケーションプログラムを複数画面表示にすべき旨の指令を受け付ける。図５乃至図７に、所定のユーザ入力によって当該指令を発生させる例を示す。
【００２７】
図５の例では、第１の表示部１０１１「画面Ａ」及び第２の表示部１０１２「画面Ｂ」はいずれもタッチパネル方式のディスプレイであり、入力手段を兼ねている。第１の表示部１０１１「画面Ａ」には、他方のディスプレイ「画面Ｂ」を向く矢印型のアイコンが表示されている。ユーザがこのアイコンをタップすると、表示制御部１０２は、これを「画面Ａ」に表示中のアプリケーションプログラムを複数画面表示にすべき旨の指令として認識する。これに応じ、表示制御部１０２は、「画面Ａ」に表示されていたアプリケーションプログラム「ＷＥＢ」の画面を、「画面Ａ」及び「画面Ｂ」にわたって表示する制御を行う（図６）。一方、第２の表示部１０１２「画面Ｂ」にも、他方のディスプレイ「画面Ａ」を向く矢印型のアイコンが表示されている。ユーザがこのアイコンをタップすると、表示制御部１０２は、これを「画面Ｂ」に表示中のアプリケーションプログラムを複数画面表示にすべき旨の指令として認識する。これに応じ、表示制御部１０２は、「画面Ｂ」に表示されていたアプリケーションプログラム「メール」の画面を、「画面Ａ」及び「画面Ｂ」にわたって表示する制御を行う（図７）。
【００２８】
なお、上述の例では、表示制御部１０２が、複数画面表示にすべき旨の指令として、ユーザによるタップ操作を検出する例を示したが、当該指令はこれに限定されず、例えばタッチパネルのフリック等の操作、キーボードをはじめとする所定のハードウェアキーの入力、音声コマンドの入力、各種センサによる所定の事象の検知等の種々のユーザ入力、又はこれらのユーザ入力の任意の組合せを、当該指令として検出するよう構成しても良い。また、当該指令はユーザ入力に限定されず、アプリケーションプログラムやオペレーティングシステム等が表示制御部１０２に対し任意の条件下で送出するものであっても良い。
【００２９】
Ｓ１０３：表示制御部１０２は、設定保持部１０３の輝度テーブルを参照し、Ｓ１０２において複数画面表示すべきと指令されたアプリケーションプログラムに対応付けられた輝度を取得する。
【００３０】
例えば、Ｓ１０２においてアプリケーションプログラム「ＷＥＢ」の画面を複数画面表示すべき旨の指令を検出した場合、表示制御部１０２は、図８の輝度テーブルにおいてアプリケーションプログラム「ＷＥＢ」に対応付けられた輝度「明るい」を取得する。あるいは、Ｓ１０２においてアプリケーションプログラム「メール」の画面を複数画面表示すべき旨の指令を検出した場合は、表示制御部１０２は、図８の輝度テーブルにおいてアプリケーションプログラム「メール」に対応付けられた輝度「暗い」を取得する。
【００３１】
なお、上述の例では、表示制御部１０２は輝度テーブルを参照して輝度を取得したが、本発明はこれに限定されず、例えば表示制御部１０２が、Ｓ１０２において複数画面表示すべきと指令されたアプリケーションプログラムの現在の輝度を保持しているならば、当該輝度を取得することとしても良い。
【００３２】
Ｓ１０４：表示制御部１０２は、複数画面表示の実施に関わる全てのディスプレイの輝度を、Ｓ１０３において取得した輝度に設定する。
【００３３】
例えば、図６のように、第１の表示部１０１１「画面Ａ」に表示されていたアプリケーションプログラム「ＷＥＢ」を、第１の表示部１０１１「画面Ａ」及び第２の表示部１０１２「画面Ｂ」にわたり表示させることによって複数画面表示を行う場合、表示制御部１０２は、「画面Ａ」及び「画面Ｂ」の輝度を、Ｓ１０３で取得した輝度に保つよう制御する。
【００３４】
すなわち、表示制御部１０２は、Ｓ１０３において、図８の輝度テーブルよりアプリケーションプログラム「ＷＥＢ」に対応付けられた輝度「明るい」を取得したならば、「画面Ａ」「画面Ｂ」双方の輝度をともに「明るい」に設定する。あるいは、表示制御部１０２は、Ｓ１０３において、アプリケーションプログラム「ＷＥＢ」の現在の輝度「明るい」を取得したならば、「画面Ｂ」の輝度を「明るい」に変更する。これらの例では、いずれの場合にも「画面Ｂ」の輝度が「暗い」から「明るい」に変更される。
【００３５】
図７のように、第２の表示部１０１２「画面Ｂ」に表示されていたアプリケーションプログラム「メール」を、第１の表示部１０１１「画面Ａ」及び第２の表示部１０１２「画面Ｂ」にわたり表示させる場合においても、同様に、表示制御部１０２は、「画面Ａ」及び「画面Ｂ」の輝度を、Ｓ１０３で取得した、アプリケーションプログラム「メール」用の輝度に保つよう制御する。
【００３６】
Ｓ１０５：表示制御部１０２は、Ｓ１０２において複数画面表示すべきと指令されたアプリケーションプログラムを、複数画面表示の実施に関わる全てのディスプレイにわたって表示する。
【００３７】
例えば、図６に示すように、第１の表示部１０１１「画面Ａ」に表示されていたアプリケーションプログラム「ＷＥＢ」を、第１の表示部１０１１「画面Ａ」及び第２の表示部１０１２「画面Ｂ」にわたり表示させることにより複数画面表示を行う。あるいは、図７に示すように、第２の表示部１０１２「画面Ｂ」に表示されていたアプリケーションプログラム「メール」を、第１の表示部１０１１「画面Ａ」及び第２の表示部１０１２「画面Ｂ」にわたり表示させることにより複数画面表示を行う。
【００３８】
本実施の形態によれば、表示画面毎に輝度を設定することが可能な複数画面表示装置１００において、アプリケーションプログラムの複数画面表示を行う場合であっても、複数画面を同じ輝度に自動的に設定できる。そのため、複数画面表示時の快適性を向上できる。また、ユーザ自ら輝度設定を変更するなどの手間を省くことができる。
【００３９】
＜実施の形態２＞
実施の形態１では、アプリケーションプログラムの複数画面表示を行う場合、複数画面を同じ輝度に設定する構成を示した。実施の形態２では、実施の形態１を前提としつつ、アプリケーションプログラムの複数画面表示を実行中であっても、所定の機能に係る画面表示を、複数画面のうち少なくとも１画面を用いて行う際には、当該画面を他の画面とは異なる輝度で表示する複数画面表示装置１００を開示する。
【００４０】
実施の形態２にかかる複数画面表示装置１００においては、設定保持部１０３の輝度テーブルが、アプリケーションプログラムと輝度との対応関係だけでなく、所定の機能と輝度との対応関係をも保持している点に主な特徴を有する。
【００４１】
その余の構成要素は、以下の説明において特に言及する場合を除き、実施の形態１と同様である。すなわち、複数画面表示装置１００は、複数のディスプレイ（第１の表示部１０１１、第２の表示部１０１２、・・第ｎの表示部１０１ｎ）を含む表示部１０１、表示制御部１０２、設定保持部１０３を有する。なお、本実施の形態においても、表示部１０１が第１の表示部１０１１及び第２の表示部１０１２の２つのディスプレイを含む場合を例として以下の説明を行う。
【００４２】
つづいて、図１１のフローチャートを用いて、実施の形態２における複数画面表示装置１００の動作について説明する。
【００４３】
Ｓ２０１：表示制御部１０２は、あるアプリケーションプログラムを、複数の画面にわたって表示する制御を実行している。なお、複数画面表示を行うための処理については、実施の形態１においてＳ１０１乃至Ｓ１０５として説明したとおりである。
【００４４】
Ｓ２０２：表示制御部１０２は、上記アプリケーションプログラムの実行中に、所定の機能を実行すべき旨の指令を受け付ける。
【００４５】
例えば、アプリケーションプログラム「ＷＥＢ」が、第１の表示部１０１１「画面Ａ」及び第２の表示部１０１２「画面Ｂ」にわたり複数画面表示されているときであって、文字入力が必要な場合に、アプリケーションプログラム「ＷＥＢ」は、表示制御部１０２に対し、「画面Ｂ」に機能「キーボード」の画面を表示すべき旨の指令を送出する。
【００４６】
ここで、所定の機能（例えば「キーボード」）を表示すべきディスプレイ（例えば「画面Ｂ」）は、予め対応付けられているものとする。また、文字入力が必要な場合とは、例えば入力ボックス等のオブジェクトにフォーカスが移ったことをアプリケーションプログラム「ＷＥＢ」が検知した場合である。
【００４７】
なお、上記所定の機能は、キーボード機能に限定されるものでなく、アプリケーションプログラムの実行中に、複数画面のうち少なくとも１画面を用いて画面表示を行う、他の任意の機能であって良い。
【００４８】
Ｓ２０３：表示制御部１０２は、設定保持部１０３の輝度テーブルを参照し、Ｓ２０２において実行すべきと指令された所定の機能に対応付けられた輝度を取得する。
【００４９】
例えば、輝度テーブルにおいて、機能「キーボード」に対応して輝度「暗い」が予め登録されているものとする。この場合、表示制御部１０２は、輝度テーブルを参照し、実行しようとする機能「キーボード」に対応づけられた輝度「暗い」を取得する。
【００５０】
Ｓ２０４：表示制御部１０２は、所定の機能を表示すべきディスプレイの輝度を、Ｓ２０３において取得した輝度に設定する。
【００５１】
例えば、図１０に示すように、機能「キーボード」を第２の表示部１０１２「画面Ｂ」に表示する場合、表示制御部１０２は、「画面Ｂ」の輝度を、Ｓ２０３で取得した輝度「暗い」に設定する。このとき、「画面Ｂ」の輝度は、アプリケーションプログラム「ＷＥＢ」用の輝度「明るい」から、機能「キーボード」用の輝度「暗い」に変更されることになる。
【００５２】
なお、Ｓ２０３で取得した所定の機能用の輝度が、複数画面表示中のアプリケーション用の輝度と同一である場合には、表示制御部１０２は、所定の機能を表示する画面の輝度を変更する必要が無い。
【００５３】
例えば、輝度テーブルには機能「キーボード」に対応して輝度「明るい」が予め登録されており、かつ、アプリケーションプログラム「ＷＥＢ」が輝度「明るい」で複数画面表示されているものとする。この条件において、機能「キーボード」を第２の表示部１０１２「画面Ｂ」に表示する場合、Ｓ２０３で取得する輝度「明るい」と、アプリケーションプログラム「ＷＥＢ」用の輝度「明るい」は同一である。よって、表示制御部１０２は、機能「キーボード」を「画面Ｂ」に表示するにあたり、当該画面の輝度を変更せず、輝度を「明るい」のままとすることができる。
【００５４】
Ｓ２０５：表示制御部１０２は、Ｓ２０２において実行すべきと指令された所定の機能を、所定のディスプレイに表示する。
【００５５】
例えば、図１０に示すように、機能「キーボード」を、第２の表示部１０１２「画面Ｂ」に表示する。
【００５６】
本実施の形態においては、アプリケーションプログラムの複数画面表示を実行中であっても、そのうちのある画面に所定の機能を表示させる場合には、当該画面の輝度を、当該機能に適したものに変更することができる。これにより、複数画面表示時の快適性をより向上させることができる。
【００５７】
＜その他の実施の形態＞
なお、本発明は上記実施の形態に限られたものではなく、趣旨を逸脱しない範囲で適宜変更することが可能である。例えば、上述の実施の形態は、複数画面表示の例として、横長の複数のディスプレイが縦方向に連続する例（図５乃至図７）を示したが、本発明はこれに限定されず、例えば縦長の複数のディスプレイが横方向に連続して複数画面表示を行うものであっても良い（図１２）。
【００５８】
また、複数画面表示装置１００は、通信部や放送受信部を有するものであっても良い。ここで、通信部は、無線又は有線による情報通信を制御する処理手段である。また、放送受信部は、テレビ放送をはじめとする放送信号を受信する処理手段である。通信部又は放送受信部は、通信又は放送により受信した画像や動画等のコンテンツを、表示制御手段１０２を介して表示部１０１に表示させる。この場合、表示制御手段１０２は、通信部又は放送受信部を使用するアプリケーションプログラムを複数画面表示する際には、表示部１０１を、他のアプリケーションプログラムと比較して明るめの輝度に設定することができる。一般に、上記コンテンツの表示時には明るい輝度が好まれるため、かかる設定を実施することにより上記コンテンツ閲覧時の快適性を向上させることができる。
【００５９】
また、上述の実施の形態では、画面の輝度が、アプリケーションプログラム又は機能に紐付けられている例を主に開示した。しかしながら、本発明はこれに限定されず、画面の輝度は、画面に対応付けて定められていても良い。すなわち、画面Ａのみにアプリケーションプログラムを表示する際は、画面Ａに予め対応付けられた輝度で表示される。画面Ｂのみにアプリケーションプログラムを表示する際は、画面Ｂに予め対応付けられた輝度で表示される。一方、画面Ａに表示されていたアプリケーションプログラムを、画面Ａ及び画面Ｂにわたって表示する際は、画面Ａのみならず画面Ｂにおいても、画面Ａに予め対応付けられた輝度で表示される。画面Ｂに表示されていたアプリケーションプログラムを、画面Ａ及び画面Ｂにわたって表示する際は、画面Ｂのみならず画面Ａにおいても、画面Ｂに予め対応付けられた輝度で表示される。複数画面表示中、画面Ａに所定の機能を表示する場合は、画面Ａは、現在の輝度に関わりなく、画面Ａに予め対応付けられた輝度で表示される。複数画面表示中、画面Ｂに所定の機能を表示する場合は、画面Ｂは、現在の輝度に関わりなく、画面Ｂに予め対応付けられた輝度で表示される。画面と輝度との対応関係は、例えば上述の実施の形態と同様、設定保持部１０３に保持させることができる。
【００６０】
また、上述の実施の形態では、本発明を主にハードウェアの構成として説明したが、これに限定されるものではなく、任意の処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。この場合、コンピュータプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６１】
１００  複数画面表示装置
１０１  表示部
１０１１  第１の表示部
１０１２  第２の表示部
１０２  表示制御部
１０３  設定保持部
【図１】
2014215303.tif 000003
【図２】
2014215303.tif 000004
【図３】
2014215303.tif 000005
【図４】
2014215303.tif 000006
【図５】
2014215303.tif 000007
【図６】
2014215303.tif 000008
【図７】
2014215303.tif 000009
【図８】
2014215303.tif 000010
【図９】
2014215303.tif 000011
【図１０】
2014215303.tif 000012
【図１１】
2014215303.tif 000013
【図１２】
2014215303.tif 000014
【図１３】
2014215303.tif 000015
【図１４】
2014215303.tif 000016